(57)【要約】　　　（修正有）【課題】トースターを電子レンジと一体的に構成してトースト調理も行えるようにした電子レンジを提供する。【解決手段】調理室１１が設けられた本体１０と前記調理室１１内に高周波を供給する高周波供給部とを有する電子レンジにおいて、前記本体１０の一部に設けられ、前面に入口２１が設けられたトースター本体と、前記入口２１を通して前記トースター本体から引き出されるか又は引き込まれるように前記トースター本体内に設けられ、前記入口を閉鎖するドアを有するグリル棚３０と、前記グリル棚３０の移動を案内する案内部と、前記グリル棚３０を移動させる駆動部と、前記グリル棚上に載置されたパンを加熱するため、前記トースター本体内に設けられるヒータ部とを含む。【選択図】　　　　図１
2004108757.tif 000002
【特許請求の範囲】
【請求項１】
調理室が設けられた本体と前記調理室内に高周波を供給する高周波供給部とを有する電子レンジにおいて、
前記本体の一部に設けられ、前面に入口が設けられたトースター本体と、
前記入口を通して前記トースター本体から引き出されるか又は引き込まれるように前記トースター本体内に設けられ、前記入口を閉鎖するドアを有するグリル棚と、
前記グリル棚の移動を案内する案内部と、
前記グリル棚を移動させる駆動部と、
前記グリル棚上に載置されたパンを加熱するため、前記トースター本体内に設けられるヒータ部とを含んでなることを特徴とする電子レンジ。
【請求項２】
前記電子レンジは、前記グリル棚の周囲を密閉するため、入口が前記トースター本体の入口と対応するように前記トースター本体内に設けられるトースターケースをさらに含むことを特徴とする請求項１に記載の電子レンジ。
【請求項３】
前記案内部は、
前記トースターケースの側壁の内面に沿って前後方に形成された案内溝と、
前記グリル棚の側壁から突出して前後方に延長され、該当案内溝に沿って移動する案内レールとを含むことを特徴とする請求項２に記載の電子レンジ。
【請求項４】
前記駆動部は、
前記グリル棚上に前後方に設けられるラックと、
前記ラックと噛み合い、回転軸により前記トースターケースに回転可能に支持されるピニオンと、
前記ピニオンの回転軸を回転させる駆動モータとを含むことを特徴とする請求項２に記載の電子レンジ。
【請求項５】
前記ラックは前記グリル棚の両側壁の下部に沿って前後方に設けられる第１ラック及び第２ラックからなり、
前記ピニオンは前記第１ラック及び第２ラックと噛み合う第１及び第２ピニオンからなり、
前記回転軸は、その両端部が前記トースターケースに回転可能に支持され、前記ピニオンを同時に回転させるため、前記第１ピニオン及び第２ピニオンに連結されることを特徴とする請求項４に記載の電子レンジ。
【請求項６】
前記駆動モータは、前記第１ピニオン及び第２ピニオンが回転するとき、前記グリル棚が前記トースターケースから自動に引き出されるか又は引き込まれるようにするため、前記トースターケースの側壁外面に固定される回転軸に連結されることを特徴とする請求項５に記載の電子レンジ。
【請求項７】
前記第１ピニオン及び第２ピニオンは、前記グリル棚が前記トースター本体から引き出されるか又は引き込まれるようにするため、両方向に回転することを特徴とする請求項５に記載の電子レンジ。
【請求項８】
前記ヒータ部は、前記グリル棚の上下部に位置するように、前記トースターケースの上部に設けられる上部ヒータと、前記トースターケースの下部に設けられる下部ヒータとを含むことを特徴とする請求項２に記載の電子レンジ。
【請求項９】
前記電子レンジは、前記トースターケースの上下部に前記上部ヒータ及び下部ヒータを保持するための複数のフック部材をさらに含むことを特徴とする請求項８に記載の電子レンジ。
【請求項１０】
前記電子レンジは、
パン屑が前記グリル棚から前記トースター本体の底面に落下するようにするため、前記トースターケースの底面に設けられる方形の開放部と、
前記方形開放部を通して収集されたパン屑を排出させるため、前記トースター本体から引き出されるようになったトースターケースの下側の前記トースター本体内に設けられるパン屑受けトレーとをさらに含むことを特徴とする請求項２に記載の電子レンジ。
【請求項１１】
前記電子レンジは、前記トースター本体内に設けられる複数のグリル棚をさらに含み、前記各グリル棚には前記複数の案内部、駆動部及びヒータ部が設けられることを特徴とする請求項１に記載の電子レンジ。
【請求項１２】
前記電子レンジは、前記トースター本体から引き出されるようになった前記グリル棚の下部に一体的に設けられるパン屑受けトレーをさらに含むことを特徴とする請求項１に記載の電子レンジ。
【請求項１３】
前記グリル棚は、
前記グリル棚が前記トースターケースから引き出されるか又は引き込まれるとき、前記入口を選択的に開閉するため、前記トースター本体の入り口に対応するようになったドアと、
飲食物が載置されるように、互いに離隔した複数の線形棒を有するグリル部と、
前記グリル部の両側を支持するため、前記グリル棚の両側に沿って前後方に延長される二つの側面支持部と、
前記二つの側面支持部の後端部を連結する後面支持部とを含むことを特徴とする請求項２に記載の電子レンジ。
【請求項１４】
前記ヒータ部は、前記グリル棚の上部に設けられる上部ヒータと、前記グリル棚の下部に設けられる下部ヒータとを含むことを特徴とする請求項１に記載の電子レンジ。
【請求項１５】
前記トースター本体は前記本体と一体的に構成されることを特徴とする請求項１に記載の電子レンジ。
【請求項１６】
調理室が設けられた本体と、前記調理室内に高周波を供給する高周波供給部と、電子レンジの多様な機能を制御する制御部とを有する電子レンジにおいて、
前記本体に設けられ、前面に複数の入口が設けられたトースター本体と、
前記入口を通して前記トースター本体から引き出されるように前記トースター本体内に引込み可能に設けられ、前記入口を閉鎖するドアを有する複数のグリル棚と、
前記グリル棚の移動を案内する案内部と、
前記グリル棚を移動させる駆動部と、
前記グリル棚に載置された飲食物を加熱するため、前記トースター本体内に設けられるヒータ部とを含んでなることを特徴とする電子レンジ。
【請求項１７】
前記制御部は前記複数のグリル棚を選択的に作動させることを特徴とする請求項１６に記載の電子レンジ。
【請求項１８】
調理室が設けられた本体と、前記調理室内に高周波を供給する高周波供給部と、電子レンジの多様な機能を制御する制御部とを有する電子レンジにおいて、前記電子レンジは、
前記本体に設けられ、前面に複数の開口部が設けられたトースター本体と、
前記開口部を通して前記トースター本体から引き出されるように前記トースター本体内に引込み可能に設けられ、前記開口部を閉鎖するドアを有する複数のグリル棚とを含んでなり、
前記電子レンジとトースター本体は一体的に構成されることを特徴とする電子レンジ。
【請求項１９】
調理室が設けられた本体と、前記調理室内に高周波を供給する高周波供給部と、電子レンジの多様な機能を制御する制御部とを有する電子レンジにおいて、前記電子レンジは、
前記本体に設けられ、前面に開口部を有する複数のトースターを含み、前記各トースターは、
前記開口部から引き出されるか又は引き込まれるように前記トースター内に設けられるグリル棚と、
前記グリル棚の移動を案内する案内部と、
前記グリル棚を移動させる駆動部と、
前記グリル棚に載置された飲食物を加熱するヒータ部とを含むことを特徴とする電子レンジ。
【発明の詳細な説明】
【０００１】
【発明の属する技術分野】
本発明は電子レンジに係り、より詳しくはパンを焼き得るトースターを備える電子レンジに関するものである。
【０００２】
【従来の技術】
一般に、電子レンジは、マグネトロンから調理室の内部に高周波を供給して飲食物を調理する機器である。通常の電熱機構は飲食物の表面を加熱して調理を行うが、電子レンジは、マグネトロンから供給される高周波が飲食物に含まれた水分を振動させて摩擦熱を発生させる方式で調理を行う。また、最近の電子レンジのうちには、調理室の内部にヒータを設け、ヒータの熱による調理と高周波による調理が並行できるようにして、飲食物の調理効果を一層高めたものもある。
【０００３】
しかし、このような電子レンジは、使用の便利さのため、多様な飲食物を調理するのに用いられているが、高周波を用いて調理を行う原理であるため、トーストを作るにおいて、通常の電熱機構に比べて効果が下がる欠点があった。
【０００４】
調理室の内部にヒータを備えている電子レンジはヒータの熱でパンを加熱してトーストを作ることができる。しかし、このような場合、通常にヒータが調理室の上部に取り付けられた構造であるため、パンをヒータに近接させるため、別の調理棚を用いなければならない不便さがあり、パンの両面を均等に焼くため、調理の途中でパンを裏返さなければならない不便さがあった。
【０００５】
【発明が解決しようとする課題】
したがって、本発明のこのような問題点を解決するためになされたもので、本発明の目的は、製造原価を上昇させないながらも、トースターを電子レンジと一体的に構成することにより、電子レンジを用いて良質のトースト料理が行えるようにするトースターを備える電子レンジを提供することにある。
【０００６】
本発明のほかの目的は、多量のトースト料理を可能にするトースターを備える電子レンジを提供することにある。
【０００７】
本発明のさらにほかの目的は、引込み及び引出しの容易なトースターを備える電子レンジを提供することにある。
【０００８】
【課題を解決するための手段】
前記のような目的を達成するため、本発明は、調理室が設けられた本体と前記調理室内に高周波を供給する高周波供給部とを有する電子レンジにおいて、前記本体の一部に設けられ、前面に入口が設けられたトースター本体と、前記入口を通して前記トースター本体から引き出されるか又は引き込まれるように前記トースター本体内に設けられ、前記入口を閉鎖するドアを有するグリル棚と、前記グリル棚の移動を案内する案内部と、前記グリル棚を移動させる駆動部と、前記グリル棚上に載置されたパンを加熱するため、前記トースター本体内に設けられるヒータ部とを含んでなる電子レンジを提供する。
【０００９】
前記電子レンジは、前記グリル棚の周囲を密閉するため、入口が前記トースター本体の入口と対応するように前記トースター本体内に設けられるトースターケースをさらに含む。
【００１０】
前記案内部は、前記トースターケースの側壁の内面に沿って前後方に形成された案内溝と、前記グリル棚の側壁から突出して前後方に延長され、該当案内溝に沿って移動する案内レールとを含む。
【００１１】
前記駆動部は、前記グリル棚上に前後方に設けられるラックと、前記ラックと噛み合い、回転軸により前記トースターケースに回転可能に支持されるピニオンと、前記ピニオンの回転軸を回転させる駆動モータとを含む。
【００１２】
前記ラックは前記グリル棚の両側壁の下部に沿って前後方に設けられる第１ラック及び第２ラックからなり、前記ピニオンは前記第１ラック及び第２ラックと噛み合う第１及び第２ピニオンからなり、前記回転軸は、その両端部が前記トースターケースに回転可能に支持され、前記ピニオンを同時に回転させるため、前記第１ピニオン及び第２ピニオンに連結される。
【００１３】
前記駆動モータは、前記第１ピニオン及び第２ピニオンが回転するとき、前記グリル棚が前記トースターケースから自動に引き出されるか又は引き込まれるようにするため、前記トースターケースの側壁外面に固定される回転軸に連結される。
【００１４】
前記第１ピニオン及び第２ピニオンは、前記グリル棚が前記トースター本体から引き出されるか又は引き込まれるようにするため、両方向に回転する。
【００１５】
前記ヒータ部は、前記グリル棚の上下部に位置するように、前記トースターケースの上部に設けられる上部ヒータと、前記トースターケースの下部に設けられる下部ヒータとを含む。
【００１６】
前記電子レンジは、前記トースターケースの上下部に前記上部ヒータ及び下部ヒータを保持するための複数のフック部材をさらに含む。
【００１７】
前記電子レンジは、パン屑が前記グリル棚から前記トースター本体の底面に落下するようにするため、前記トースターケースの底面に設けられる方形の開放部と、前記方形開放部を通して収集されたパン屑を排出させるため、前記トースター本体から引き出されるようになったトースターケースの下側の前記トースター本体内に設けられるパン屑受けトレーとをさらに含む。
【００１８】
前記電子レンジは、前記トースター本体内に設けられる複数のグリル棚をさらに含み、前記各グリル棚には前記複数の案内部、駆動部及びヒータ部が設けられる。
【００１９】
前記電子レンジは、前記トースター本体から引き出されるようになった前記グリル棚の下部に一体的に設けられるパン屑受けトレーをさらに含む。
【００２０】
前記グリル棚は、前記グリル棚が前記トースターケースから引き出されるか又は引き込まれるとき、前記入口を選択的に開閉するため、前記トースター本体の入り口に対応するようになったドアと、飲食物が載置されるように、互いに離隔した複数の線形棒を有するグリル部と、前記グリル部の両側を支持するため、前記グリル棚の両側に沿って前後方に延長される二つの側面支持部と、前記二つの側面支持部の後端部を連結する後面支持部とを含む。
【００２１】
前記ヒータ部は、前記グリル棚の上部に設けられる上部ヒータと、前記グリル棚の下部に設けられる下部ヒータとを含む。
【００２２】
前記トースター本体は前記本体と一体的に構成される。
【００２３】
【発明の実施の形態】
以下、本発明の好ましい実施例を添付図面に基づいて詳細に説明する。
【００２４】
本発明による電子レンジは、図１に示すように、本体１０の内部に、飲食物の調理のための調理室１１と、各種電気部品が内蔵される電装室１２とが相互区画されるように構成される。調理室１１の前面には、調理室１１を開閉するドア１３が設けられ、電装室１２の前面には、電子レンジの各種機能を制御する多数の操作ボタンが設けられた操作パネル１４が設けられる。
【００２５】
調理室１１の内部底面には、飲食物が載置されるトレー１５が回転可能に設けられ、電装室１２の内部には、図示されてはいないが、調理室１１の内部に高周波を供給するためのマグネトロンと、該マグネトロンに高電圧を印加するための高圧トランスとが設けられる。この構成部は、調理室１１の内部トレー１５に載置される飲食物を、マグネトロンから供給される高周波を用いて調理するためのものである。
【００２６】
本体１０の上部には、トースト料理のため、前面に複数の入口２１が形成された箱状のトースター本体２０が設けられ、トースター本体２０の内部には、各入口２１を通して前方に引き出されるように前後方に進退する複数のグリル棚３０が設けられる。トースター本体２０は下側の本体１０と一体的に構成されるか、又は別に製造された後、本体１０の上部に搭載できる。
【００２７】
トースター本体２０の内部には、図２及び図３に示すように、各グリル棚３０の周囲を密閉させるトースターケース４０と、各グリル棚３０の進退を案内する案内部と、前記グリル棚３０を進退させる駆動部と、前記グリル棚３０に置かれたパンを加熱するヒータとが設けられる。また、横方向に相互離隔して配設される複数のグリル棚３０の周囲には、それぞれ別の案内部、駆動部及びヒータ部が設けられるので、使用者がトースト料理を行うに際して、いずれか一つのグリル棚のみを用いるか、又は複数のグリル棚を共に用いるように構成される。
【００２８】
トースターケース４０は、グリル棚３０の出入を可能にするため、前面に開放入口４１が設けられ、パン屑の落下を可能にするため、下面に開放部４２が設けられた方形の箱状に構成される。そして、トースターケース４０は、その入口４１の周囲がトースター本体２０の各入口２１と対応するようにトースター本体２０に結合されるように、トースター本体２０に結合される。
【００２９】
グリル棚３０は、前後方に進退するとき、トースター本体２０の入口２１を開閉するように、入口２１と対応する大きさに形成された開閉部３１と、開閉部３１の内面両側から後方に延長される二つの側面支持部３２と、該二つの側面支持部３２の後端を連結する後面支持部３３と、パンが載置されるように、両端が前記側面支持部３２に固定され、相互離隔した多数の線形棒３４ａでなるグリル部３４とからなる。
【００３０】
グリル棚３０の進退のための案内部は、トースターケース４０の内面両側に前後方に形成された案内溝５１と、該案内溝５１に沿って進退できるように、グリル棚３０の側面支持部３２の外側面に突設され前後方に延長される案内レール５２とからなる。
【００３１】
駆動部は、前記グリル棚３０の両側の二つの側面支持部３２の下面に前後方に設けられる第１ラック６１及び第２ラック６２と、該ラック６１、６２にそれぞれ噛み合う第１ピニオン６３及び第２ピニオン６４とからなる。さらに、駆動部は、両側のピニオン６３、６４を同時に回転させるため、両側のピニオン６３、６４を連結する回転軸６５と、該回転６５を回転させる駆動モータ６６とを含む。前記回転軸６５は両端がトースターケース４０の両側に回転可能に支持され、駆動モータ６６は回転軸６５に連結されたままでトースターケース４０の一側外面に固定される。このような構成は、駆動モータ６６の正回転及び逆回転動作により両ピニオン６３、６４が回転することにより、グリル棚３０が前方に引き出されるか又は後方に引き込まれるようにしたものである。
【００３２】
図３に示すように、ヒータ部は、グリル棚３０のグリル部３４に置かれるパンの上下面を同時に加熱するため、グリル棚３０の上部に設けられる上部ヒータ７１と、グリル棚３０の下部に配置される下部ヒータ７２とからなる。前記上部ヒータ７１と下部ヒータ７２は複数のフック部材７３によりトースターケース４０の内側上部及び下部にそれぞれ保持される。
【００３３】
また、図１及び図３に示すように、トースターケース４０の下面開放部４２を通して落下するパン屑を収集して排出させるため、トースター本体２０の下部には、前方への引出しが可能な引き出し型のパン屑受けトレー８０が設けられる。このパン屑受けトレー８０は、複数のグリル棚３０から落下するパン屑を収集して排出させるため、横幅が相対的に大きく形成される。そして、トースター本体２０の前面一側には、各グリル棚３０の動作及びヒータの動作を別途に制御するための複数の操作ボタン９０が設けられる。
【００３４】
つぎに、このように構成される本発明による電子レンジの動作及び作用を説明する。
【００３５】
高周波加熱による調理を行うに際しては、調理室１１の内部に飲食物を入れ電子レンジを稼動させると、マグネトロンから発振される高周波が調理室１１の内部に供給されて調理が行われる。
【００３６】
トースト調理を行うに際しては、本体１０のグリル棚３０にパンを載置し、上部ヒータ７１及び下部ヒータ７２で加熱してパンを焼く。この際、使用者は、操作ボタン９０の操作によりグリル棚３０を前方に引き出した後、グリル棚３０のグリル部３４にパンを載置する。そして、操作ボタン９０を操作して、パンの載置されたグリル棚３０がトースター本体２０の内部に引き込まれるようにした後、所定時間のうちに上部ヒータ７１と下部ヒータ７２により加熱されるようにする。
【００３７】
グリル棚３０は、駆動モータ６６の動作により両側のピニオン６３、６４が正方向又は逆方向に回転することにより、トースター本体２０の前方に引き出されるか又は内部に引き込まれる。したがって、使用者は調理すべきパンをグリル棚３０に易しく載置することができ、調理の完了後には易しく引き出すことができる。そして、グリル棚３０に載置されたパンは上部ヒータ７１と下部ヒータ７２により上下部が同時に加熱されるので、両面が均等に焼かれることになる。
【００３８】
また、本発明は、複数のグリル棚３０のうち、使用者がいずれか一つを選択して調理するか、或いは全てのグリル棚３０にパンを載置して調理することができるので、使用が便利であるだけでなく、グリル棚３０のヒータのみを別に作動させることができるので、省エネルギーの効果がある。
【００３９】
調理過程で発生するパン屑はトースターケース４０の下面開放部４２を通して落下してパン屑受けトレー８０に収集される。したがって、使用者は、周期的にパン屑受けトレー８０を前方に引き出して分離した後、パン屑受けトレー８０に収集されたパン屑を掃除するとよい。
【００４０】
【発明の効果】
以上説明したように、本発明による電子レンジは、トースター本体が電子レンジ本体と一体的に構成されるため、製造原価をあまり増大しなくてもトースターの機能を有する電子レンジを具現することができる。
【００４１】
また、本発明は、複数のグリル棚を用いて多量のトースト調理を同時に行うことができるだけでなく、グリル棚が前方に引き出されるか又はトースター本体の内部に引き込まれるようになっているため、パンの引出し及び引込みが容易である効果がある。
【図面の簡単な説明】
【図１】本発明によるトースターを備える電子レンジの構成を示す斜視図である。
【図２】図１の電子レンジに設けられるトースターの構成を示す斜視図である。
【図３】図１の電子レンジに設けられるトースターの構成を示す断面図である。
【符号の説明】
１０　本体
１１　調理室
２０　トースター本体
２１　トースター本体の入口
３０　グリル棚
３１　開閉部
３４　グリル部
４０　トースターケース
５１　案内溝
５２　案内レール
６１、６２　ラック
６３、６４　ピニオン
６５　回転軸
６６　駆動モータ
７１　上部ヒータ
７２　下部ヒータ
８０　パン屑受けトレー
【図１】
2004108757.tif 000003
【図２】
2004108757.tif 000004
【図３】
2004108757.tif 000005